(57)【要約】【課題】重量計測手段の耐久性および信頼性を向上させて、常に鍋内に投入された米および水量に最適な炊飯ソフトでおいしいご飯を炊くこと。【解決手段】本体１に、鍋３や蓋８等も含めた本体１の重量を計測する重量計測手段２を備えている。重量計測手段２は、歪みゲージ２４を設けた起歪体１０と起歪体１０の一部を固定する支持板５と本体１の重量を伝達する重量伝達板２５とから構成され、本体１は、少なくとも起歪体１０が弾性領域内で最大変形した場合に本体１が移動する距離よりも移動距離が短いストッパーを有している。【選択図】  図１
2005000491.tif 000002
【特許請求の範囲】
【請求項１】
本体と、前記本体内に着脱自在に収納される鍋と、前記本体上面開口部を覆う蓋と、前記本体重量を計測する重量計測手段を備え、前記重量計測手段は、歪みゲージを設けた起歪体と前記起歪体の一部を固定する支持板と前記本体の重量を伝達する重量伝達板とを有し、前記本体は、少なくとも前記起歪体が弾性領域内で最大変形した場合に前記本体が移動する距離よりも移動距離が短いストッパーを有した炊飯器。
【請求項２】
ストッパーが本体側壁の一部である請求項１記載の炊飯器。
【請求項３】
支持板の底面に、接地する脚部を有し、本体底面を前記支持板底面よりも下方に設けた請求項１または２記載の炊飯器。
【請求項４】
蓋開閉検知手段を備え、前記蓋開閉検知手段が蓋が開いたことを検知したときにストッパーを解放させる請求項１〜３のいずれか１項に記載の炊飯器。
【発明の詳細な説明】
【０００１】
【発明の属する技術分野】
本発明は、鍋内に収納された米量または水量を計量することができる炊飯器に関するものである。
【０００２】
【従来の技術】
従来、家庭で使用する炊飯器は、小形で持ち運びに便利であるが、使用者は炊飯する時には、鍋に米とその米量に応じた量の水を投入する作業を行わねばならず、使用者にとっては使い勝手の悪いものであった。また、使用者が米量や水量を計測し間違う（例えば、鍋に投入された米量に対して水量が多いとべちゃついたご飯になったり、逆に水量が少ないと硬いご飯になったりする）と、おいしいご飯が炊けなくなったりするものであった。
【０００３】
上記のような、使用者にとっての使い勝手の悪い部分を改善したり、使用者が米量や水量を計測し間違うことを防止する手段として、図１３に示すように、炊飯器の本体１の重量を検知する重量計測手段２を設けたものが提案されている（例えば、特許文献１参照）。
【０００４】
図１３に示す炊飯器では、重量計測手段２が本体１の重量を検知することができるので、本体１が鍋３の重量を記憶しておくことで、使用者が米と水が入った鍋３を本体１にセットすると、重量計測手段２の検知信号により、本体１は鍋３に投入された米と水を合わせた量を計測することができる。そして、鍋３に投入された米量および水量に最適な炊飯ソフトを実行してご飯を炊くことができる（例えば、米量および水量が少ない場合（１升炊き炊飯器に対して１合炊く場合等）は鍋加熱手段４への通電量を少なくしたり、逆に米量および水量が多い場合（１升炊き炊飯器に対して１升炊く場合等）は鍋加熱手段４への通電量を多くしたりする等）。
【０００５】
この本体１に設けられている重量計測手段２の一例として、図１３に示すように、本体１の下部に支持板５を備え、本体１と支持板５を圧縮バネ６を介して接続し、さらに、本体１と支持板５にそれぞれ一対の電極板７ａ、電極板７ｂを設けたものがある（電極板７ａは本体１側に、電極板７ｂは支持板５側に取り付けられている）。
【０００６】
圧縮バネ６、電極板７ａおよび電極板７ｂを、図１３に示すように構成することにより、本体１の鍋３内に米や水が供給されると、圧縮バネ６が圧縮されるので、電極板７ａと電極板７ｂ間の距離が変化することになる。そして、電極板７ａと電極板７ｂ間の距離が変化することで、電極板７ａと電極板７ｂ間の静電容量が変化し、その静電容量の変化量で鍋３内に供給された米および水の量を重量計測手段２は検出することができる。
【０００７】
一方、図１３に示す重量計測手段２以外の重量計測手段として、図１４、図１５（ａ）、図１５（ｂ）に示すような、体重計９等に用いられている起歪体１０がある（例えば、特許文献２参照）。図１４、図１５（ａ）および図１５（ｂ）に示す起歪体１０は、体重計９にかかる荷重を連結板１１で支える構成になっており、連結板１１に荷重がかかると、起歪体１０が歪むので、その歪み量を検知して体重計９にかかる荷重を算出するものである。
【０００８】
この体重計９に、定格荷重以上の荷重がかかった場合は、図１５（ａ）および図１５（ｂ）に示す連結板１１に備えられたストッパーボルト１２が体重計９のシャーシ１３に接触するので、ストッパーボルト１２がシャーシ１３に接触した後は、起歪体１０は歪まなくなる。そのため、体重計９に定格以上の荷重がかかっても起歪体１０を保護できる構成になっている。
【０００９】
【特許文献１】
特公平１−２７７２４号公報
【特許文献２】
実公平７−５５４７１号公報
【００１０】
【発明が解決しようとする課題】
しかしながら、前記従来の炊飯器の構成では、以下の課題がある。
【００１１】
図１３に示すように、一対の電極板７ａおよび電極板７ｂを用いて本体１の重量を検知する構成では、鍋３を本体１にセットしたときの衝撃や、蓋８を開閉したときの衝撃により、圧縮バネ６が振動してしまい、その結果、本体１自体が振動し、本体１が安定しない状態になってしまう。
【００１２】
また、家庭用の炊飯器は持ち運びできるものであるが、本体１を運搬中に使用者が誤って落としてしまったときには、本体１の落下による衝撃で圧縮バネ６が大きく振動してしまい、その結果、本体１が大きく振動してしまう場合がある。このとき、電極板７ａおよび電極板７ｂは平板であるので、本体１の落下による衝撃によって電極板７ａおよび電極板７ｂがたわんでしまい、その結果、電極板７ａおよび電極板７ｂどうしが衝突し、傷ついたり壊れてしまったりする恐れがある。
【００１３】
電極板７ａおよび電極板７ｂが壊れてしまうと、本体１は、鍋３内の米および水の量を検出することができないので、鍋３内に投入された米および水量に最適な炊飯ソフトでおいしいご飯を炊くことができないという課題が生じてしまう。
【００１４】
一方で、重量計測手段２を図１４、図１５（ａ）および図１５（ｂ）で示すような、体重計９で用いられている構成の起歪体１０を用いた場合は、ストッパーボルト１２により起歪体１０に定格以上の荷重がかからないようにすることができるので、本体１を落としてしまったときに加わる衝撃力に対しても起歪体１０を保護することができる。
【００１５】
しかしながら、体重計９は０．１ｋｇ単位までの重量が計測できればよいが、本体１では１ｇ単位の重量が計測できないと、炊飯性能が異なってしまう（例えば、１合の米を炊飯する場合は２５０ｇの水が必要であるが、このとき、水の量が２６０ｇであると、炊き上がったご飯の硬さが柔らかめになってしまう等）ので、図１４に示すように、アーム１４ａ、１４ｂ、１４ｃ、１４ｄを備え、アーム１４ａ、１４ｂ、１４ｃ、１４ｄを介して起歪体１０に荷重がかかる構成にすると、１ｇ単位の精度が得られないという課題が生じてしまう。
【００１６】
そこで、図１６に示すように、重量計測手段２を起歪体１０の部分のみで構成して本体１を支える場合は、本体１の重量が直接起歪体１０部分に加わるので、炊飯器で必要な精度を得ることができる。
【００１７】
しかしながら、本体１は、実使用時に、図１７（ａ）に示すように、蓋８を開くと、後方向の偏荷重Ｗ１を受け、図１７（ｂ）に示すように、蓋８を閉じると、前方向の偏荷重Ｗ２を受ける。また、使用者が、炊けたご飯を鍋３内でほぐす場合や茶碗によそう場合は、使用者は本体１に手を添えて鍋３内のご飯をほぐしたり茶碗によそったりするので、図１７（ｃ）に示すように、本体１は左右方向の偏荷重Ｗ３を受けたりもする。また、そのときの偏荷重Ｗ１、Ｗ２、Ｗ３の大きさは、使用者の使い方次第（例えば、蓋８を勢いよく開いたり閉じたりした場合や、ご飯をほぐすときに本体１に添えた手に力を入れたりする等）であるので、場合によっては、本体１を落下したときに起歪体１０が受ける衝撃以上であったりもする。
【００１８】
このような偏荷重Ｗ１、Ｗ２、Ｗ３を、起歪体１０は、使用者がご飯を炊く度に繰り返し受けるので、起歪体１０には、図１８（ａ）に示すように、垂直方向の曲げ荷重Ｗｂだけでなく、図１８（ｂ）に示すように、ねじり荷重Ｗｔも繰り返し受けることになり、起歪体１０近傍にストッパーボルト１２を備えただけでは、これらの荷重を回避することが不可能である。特に、ねじり荷重Ｗｔに関しては、図１８（ｂ）に示すように、ストッパーボルト１２が支持板５に接触しない状態でねじり荷重Ｗｔを繰り返し受ける可能性がある。また、図１８（ｂ）に示すねじり荷重Ｗｔが起歪体１０の定格以上のねじり荷重の場合であっても、ストッパーボルト１２が支持板５と接触しない場合もある。
【００１９】
そのため、起歪体１０はご飯を炊く度に繰り返し荷重を受け、起歪体１０に亀裂が入ったり、折れてしまったりして、本体１の重量が計測できないという課題がある。
【００２０】
本発明は、前記従来の課題を解決するもので、重量計測手段の耐久性および信頼性を向上させて、常に鍋内に投入された米および水量に最適な炊飯ソフトでおいしいご飯を炊く炊飯器を提供することを目的とする。
【００２１】
【課題を解決するための手段】
前記従来の課題を解決するために、本発明の炊飯器は、本体と、前記本体内に着脱自在に収納される鍋と、前記本体上面開口部を覆う蓋と、前記本体重量を計測する重量計測手段を備え、前記重量計測手段は、歪みゲージを設けた起歪体と前記起歪体の一部を固定する支持板と前記本体の重量を伝達する重量伝達板とを有し、前記本体は、少なくとも前記起歪体が弾性領域内で最大変形した場合に前記本体が移動する距離よりも移動距離が短いストッパーを有したものである。
【００２２】
これによって、起歪体に弾性領域内の最大曲げ荷重または最大ねじり荷重が加わる前にストッパーを床面と接触させることができるので、起歪体に最大曲げ荷重または最大ねじり荷重以上の荷重が加わらないようにすることができる。それゆえ、炊飯器本体に落下等の衝撃荷重が加わったり、蓋の開閉やご飯をほぐしたりするときに荷重が加わっても、起歪体には最大曲げ荷重または最大ねじり荷重以上の荷重が加わらないので、重量計測手段を起歪体のみで構成しても起歪体を保護することができ、重量計測手段の精度を向上させることができるとともに、衝撃荷重や繰り返し荷重に対する重量計測手段の耐久性および信頼性を向上させることができる。したがって、常に鍋内に投入された米および水量を正確に計量し、最適な炊飯ソフトでおいしいご飯を炊くことができる。
【００２３】
【発明の実施の形態】
請求項１に記載の発明は、本体と、前記本体内に着脱自在に収納される鍋と、前記本体上面開口部を覆う蓋と、前記本体重量を計測する重量計測手段を備え、前記重量計測手段は、歪みゲージを設けた起歪体と前記起歪体の一部を固定する支持板と前記本体の重量を伝達する重量伝達板とを有し、前記本体は、少なくとも前記起歪体が弾性領域内で最大変形した場合に前記本体が移動する距離よりも移動距離が短いストッパーを有したことにより、起歪体に弾性領域内の最大曲げ荷重または最大ねじり荷重が加わる前にストッパーを床面と接触させることができるので、起歪体に最大曲げ荷重または最大ねじり荷重以上の荷重が加わらないようにすることができる。それゆえ、炊飯器本体に落下等の衝撃荷重が加わったり、蓋の開閉やご飯をほぐしたりするときに荷重が加わっても、起歪体には最大曲げ荷重または最大ねじり荷重以上の荷重が加わらないので、重量計測手段を起歪体のみで構成しても起歪体を保護することができ、重量計測手段の精度を向上させることができるとともに、衝撃荷重や繰り返し荷重に対する重量計測手段の耐久性および信頼性を向上させることができる。したがって、常に鍋内に投入された米および水量を正確に計量し、最適な炊飯ソフトでおいしいご飯を炊くことができる。することができる。
【００２４】
請求項２に記載の発明は、特に、請求項１に記載の発明において、ストッパーが本体側壁の一部であることにより、ストッパーを本体の最外周部に設けることができるので、起歪体が少したわんだりねじれたりしても、直ちに床面と接することができる。それゆえ、たわみ量やねじれ量が少ない起歪体を用いても、ストッパーは確実に床面と接触することができるので、起歪体の特性に応じてストッパーの移動距離を容易に調整することができる。
【００２５】
請求項３に記載の発明は、特に、請求項１または２に記載の発明において、支持板の底面に、接地する脚部を有し、本体底面を前記支持板底面よりも下方に設けたことにより、虫や異物等の重量計測手段への侵入を低減することができるとともに、炊飯器本体の持ち運びの時に、支持板を本体底面で支持することができるので、支持板の荷重や支持板が振動することによる振動荷重が起歪体に加わることを低減することができる。それゆえ、支持板の荷重により起歪体が壊れてしまうのを防止することができるので、重量計測手段の耐久性および信頼性をより向上させることができ、常に鍋に投入された米および水量に最適な炊飯ソフトでおいしいご飯を炊くことができる。
【００２６】
請求項４に記載の発明は、特に、請求項１〜３のいずれか１項に記載の発明において、蓋開閉検知手段を備え、前記蓋開閉検知手段が蓋が開いたことを検知したときにストッパーを解放させることにより、重量計測手段は重量を計測すべきときのみ動作することができ、重量を計測しないときはストッパーにより起歪体がたわまないようにすることができるので、ストッパーにより重量計測手段を保護することができる。
【００２７】
以上より、重量計測手段の耐久性および信頼性をより一層向上させることができ、常に鍋に投入された米および水量に最適な炊飯ソフトでおいしいご飯を炊くことができる。
【００２８】
【実施例】
以下、本発明の実施例について、図面を参照しながら説明する。なお、従来例と同じ構成のものは同一符号を付して説明を省略する。
【００２９】
（実施例１）
本発明の実施例１における炊飯器の本体１について、図１〜図１２を用いて説明する。
【００３０】
図１において、炊飯器の本体１は、着脱自在に鍋３を収納するため、有底筒状の鍋収納部３ａを有している。鍋収納部３ａの底部または側底部には、鍋３を加熱する鍋加熱手段４が設けられており、本実施例では鍋３を誘導加熱する誘導加熱コイルで構成されている。１５は鍋温度検知手段で、鍋３の底面と当接するよう構成されている。制御手段１６は炊飯器の本体１の動作を制御するものである。
【００３１】
また、蓋８は、本体１の後部のヒンジ部に設けたヒンジ軸１７にて軸支され、鍋３の開口部を開閉自在に覆っている。蓋８には、加熱板１８を介して鍋３内を上方から加熱する蓋加熱手段１９（本実施例では、加熱板１８を誘導加熱する誘導加熱コイルで構成）が設けられている。加熱板１８は加熱板蒸気口２０を有しており、蓋８の天面には加熱板蒸気口２０と連通する蓋蒸気口２１が設けられている。そのため、鍋３の内部は本体１外と連通し大気圧となっている。蒸気口パッキン２２は、加熱板１８と蓋８に挟持されており、鍋パッキン２３は、蓋８の閉時に加熱板１８と鍋３の上縁外周部にあるフランジ部の間で挟持されている。
【００３２】
重量計測手段２は、炊飯器の本体１を支持する起歪体１０と、起歪体１０に貼り付けられた歪みゲージ２４、起歪体１０を支持する支持板５、本体１の重量を起歪体１０に伝達する重量伝達手段２５により構成される。そして、本体１に荷重が加わると、起歪体１０がたわむので、起歪体１０に貼り付けられた歪みゲージ２４が歪むことになる。歪みゲージ２４は、自身が歪んだ量を電圧変換して制御手段１６へ信号を送る。制御手段１６は歪みゲージ２４から送られてきた信号に基づき、起歪体１０にどれぐらいの荷重が加わっているのかを算出する。
【００３３】
重量計測手段２を図１に示すように構成することにより、炊飯器の本体１にかかる荷重を重量計測手段２が直接検知することができるので、鍋３内に投入された米および水の量を精度よく計測することができる。
【００３４】
２６は、本体１の移動量を規制するストッパーで、本体側壁の一部を形成している。また、ストッパー２６の底面と床面Ａとの間には、高さ方向の隙間Ｈが設けられている。
【００３５】
ここで、重量計測手段２の重量の計測方法を説明する。
【００３６】
一般に、起歪体１０に加わる荷重Ｗと起歪体１０の歪み量Ｅとの関係は、図２に示すように、正比例する部分があり、この正比例する部分を弾性領域という。この弾性領域内では、荷重Ｗを取り除けば、起歪体１０は元の状態に戻るものである（正確には、図２は荷重Ｗと歪み量Ｅとの関係ではなく、起歪体１０にかかる応力τと歪み量Ｅとの関係であるが、今回の条件では、荷重Ｗと応力τは比例関係にあるので、荷重Ｗと歪み量Ｅとの関係で示した）。
【００３７】
弾性領域の最大点である最大歪み量Ｅｍに対する最大曲げ荷重Ｗｍを弾性限度と呼ぶが、本実施例では弾性限度Ｗｍを最大曲げ荷重Ｗｍと呼ぶことにする。
【００３８】
一方で、図３（ａ）および図３（ｂ）に示すように、起歪体１０に荷重Ｗが加わると、起歪体１０はたわむが、荷重Ｗが最大曲げ荷重Ｗｍ以下であれば、このときのたわみ量ｖも荷重Ｗと比例する。その結果、起歪体１０の歪み量Ｅとたわみ量ｖも比例関係にある。
【００３９】
以上のことから、起歪体１０に加わる荷重Ｗと起歪体１０のたわみ量ｖとは弾性領域内では比例関係にあることになる。
【００４０】
そこで、図１および図３（ａ）に示すように、起歪体１０に最大曲げ荷重Ｗｍが加わる前にストッパー２６が床面Ａと接触するように、ストッパー２６と床面Ａとの高さ方向の隙間Ｈを設ける。このようにストッパー２６を設けることにより、起歪体１０に最大曲げ荷重Ｗｍ以上の荷重が加わったときは、ストッパー２６が距離Ｈだけ移動した後床面Ａと接触するので、起歪体１０は最大曲げ荷重Ｗｍが加わったときの最大たわみ量ｖｍ以上はたわまず、起歪体１０を弾性領域内で使用することができる。
【００４１】
同様に、起歪体１０が受けるねじり荷重Ｗｔに関しても（図３（ｄ）参照）、図３（ｃ）に示すように、起歪体１０に最大ねじり荷重Ｗｔｍが加わる前にストッパー２６が床面Ａと接触するように、隙間Ｈを設けることにより、起歪体１０に最大ねじり荷重Ｗｔｍが加わったときには、ストッパー２６が距離Ｈだけ移動したあと床面Ａと接触するので、起歪体１０は最大ねじり荷重Ｗｔｍが加わったときの最大ねじり量ｖｔｍ以上はねじれず、起歪体１０を保護することができる。
【００４２】
すなわち、隙間Ｈを、起歪体１０に最大曲げ荷重Ｗｍまたは最大ねじり荷重Ｗｔｍが加わる前に、ストッパー２６が床面Ａと接触するように設けるものである。
【００４３】
次に、上記構成において動作を説明する。
【００４４】
使用者はまず、炊飯を行う米とその米量に対応する水を鍋３に入れ、炊飯器の本体１に収納する。そうすると、図１に示すように、起歪体１０に荷重Ｗが加わるので、起歪体１０がたわむ。起歪体１０がたわむと、起歪体１０自身が歪むことにより、起歪体１０に取り付けられた歪みゲージ２４も歪み、その歪み量の信号を制御手段１６へ送る。制御手段１６は、歪みゲージ２４から送られた信号に基づき、鍋３内に投入された米および水量を算出する。そして、鍋３内に投入された米および水量に最適な炊飯ソフトで炊飯工程を行う。
【００４５】
ここで、炊飯工程の一例を述べる。使用者が鍋３に米および水を投入した後、炊飯開始スイッチ（図示せず）を押すと、図４（ａ）に示すように、まず、第一の所定時間ｔ１になるまで浸水工程Ａが行われる。浸水工程Ａでは、鍋温度検知手段１５の検知温度Ｔａが第一の所定温度Ｔ１になるように、制御手段１６は鍋加熱手段４を制御する。
【００４６】
次に、第一の所定時間ｔ１を経過すると、炊き上げ工程Ｂが行われる。この工程では、鍋温度検知手段１５の検知温度Ｔａが第二の所定温度Ｔ２（水の沸点（大気圧で１００℃））になるまで、制御手段１６は鍋加熱手段４への通電を制御する。
【００４７】
次に、鍋温度検知手段１５の検知温度Ｔａが第二の所定温度Ｔ２になると、沸騰維持工程を行う。この工程では、制御手段１６は、鍋加熱手段４に通電したり非通電にしたりして、鍋加熱手段４への通電を制御する。そして、鍋温度検知手段１５の検知温度Ｔａが第三の所定温度Ｔ３になるまで、この工程を行う。
【００４８】
鍋温度検知手段１５の検知温度Ｔａが第三の所定温度Ｔ３になると、第二の所定時間ｔ２になるまで、むらし工程Ｄが行われる。この工程では、鍋温度検知手段１５の検知温度Ｔａが図４（ａ）に示す第二の所定温度Ｔ２近傍を維持するように、制御手段１６は鍋加熱手段４や蓋加熱手段１９への通電量を制御する。
【００４９】
第二の所定時間ｔ２になるとむらし工程Ｄおよび炊飯工程を終了し、引き続き保温工程が行われる。
【００５０】
以上、述べたように、鍋温度検知手段１５の検知温度Ｔａが図４（ａ）に示すようになるように、鍋加熱手段４を制御手段１６が制御することにより、鍋３内の温度Ｔｂは、図４（ｂ）に示すように温度推移していく。すなわち、浸水工程Ａでは、鍋３内の温度Ｔｂは、第一の所定温度Ｔ１まで上昇し、炊き上げ工程Ｂでは、第二の所定温度Ｔ２に上昇する。そして、沸騰維持工程Ｃで第二の所定温度Ｔ２近傍の温度を維持し、さらに、むらし工程Ｄでも第二の所定時間ｔ２まで、第二の所定温度Ｔ２近傍の温度を維持するものである。
【００５１】
このように本実施例によれば、ストッパー２６と床面Ａとの高さ方向の隙間Ｈを、起歪体１０に最大曲げ荷重Ｗｍまたは最大ねじり荷重Ｗｔｍが加わる前に、ストッパー２６が床面Ａと接触するように設けることにより、起歪体１０に最大曲げ荷重Ｗｍまたは最大ねじり荷重Ｗｔｍ以上の荷重が加わったときは、ストッパー２６が距離Ｈだけ移動した後、床面Ａと接触しているので、起歪体１０は最大曲げ荷重Ｗｍが加わったときの最大たわみ量ｖｍまたは最大ねじり荷重Ｗｔｍが加わったときの最大ねじり量ｖｔｍ以上は変形しないことになり、起歪体１０を弾性領域内で使用することができる。
【００５２】
それゆえ、使用者が炊飯器の本体１を移動させるときに、誤って落下させてしまっても、起歪体１０には最大曲げ荷重Ｗｍまたは最大ねじり荷重Ｗｔｍ以上の荷重が加わらないので、起歪体１０は壊れることなく、本体１を落下させてしまった後も、鍋３内に投入された米や水量を検出することができる。
【００５３】
また、炊飯器の本体１は、実使用時に、蓋８を開くと、図５（ａ）に示すように、後方向の偏荷重Ｗ１を受け、蓋８を閉じると、図５（ｂ）に示すように、前方向の偏荷重Ｗ２を受ける。また、使用者が、炊けたご飯を鍋３内でほぐす場合や茶碗によそう場合は、本体１に手を添えて鍋３内のご飯をほぐしたり茶碗によそったりするので、図５（ｃ）に示すように、左右方向の偏荷重Ｗ３を受けたりもする。また、そのときの偏荷重Ｗ１、Ｗ２、Ｗ３の大きさは、蓋８を勢いよく開けたり閉じたりしたり、本体１に添えた手に力を入れてご飯をほぐしたり茶碗によそったりするので、使用者の使い方次第であり、場合によっては、起歪体１０の最大曲げ荷重Ｗｍまたは最大ねじり荷重Ｗｔｍよりも大きい場合もあるが、ストッパー２６は、図１、図３（ａ）および図３（ｃ）に示すように、起歪体１０に最大曲げ荷重Ｗｍまたは最大ねじり荷重Ｗｔｍ以上の荷重が加わったときには、ストッパー２６が床面Ａと接触しているので、図５（ａ）、図５（ｂ）、図５（ｃ）に示すような偏荷重Ｗ１、Ｗ２、Ｗ３を炊飯器の本体１が受けても、起歪体１０を保護することができる。
【００５４】
それゆえ、使用者がご飯を炊く度に偏荷重Ｗ１、Ｗ２およびＷ３を炊飯器の本体１が繰り返し受けても、起歪体１０には、最大曲げ荷重Ｗｍまたは最大ねじり荷重Ｗｔｍ以下の荷重しか加わらないので、鍋３内に供給された米および水の量を精度よく計測することができ、起歪体１０が壊れることを低減することができる。
【００５５】
以上のようにストッパー２６を設けることにより、重量計測手段２を起歪体１０および歪みゲージ２４のみで形成することができるので、炊飯器の本体１に加わる荷重を直接、重量計測手段２に与えることができ、重量計測手段２の精度を向上させることができるとともに、炊飯器の本体１を落下させてしまったりして、本体１に衝撃荷重が加わったり、後方向の偏荷重Ｗ１や前方向の偏荷重Ｗ２、左右方向の偏荷重Ｗ３等が本体１に繰り返し加わっても、起歪体１０に最大曲げ荷重Ｗｍまたは最大ねじり荷重Ｗｔｍ以上の荷重を加えないようにすることができる、すなわち、曲げ荷重Ｗだけでなくねじり荷重Ｗｔに対しても起歪体１０を保護することができるので、衝撃荷重や繰り返し荷重に対する重量計測手段２の耐久性および信頼性を向上させることができる。それゆえ、常に鍋３内に投入された米および水量に最適な炊飯ソフトでおいしいご飯を炊くことができる。
【００５６】
なお、ストッパー２６は、炊飯器の本体１の側壁の一部だけでなく、本体１の側壁の全周を形成するようにしてもよい。
【００５７】
また、鍋加熱手段４は、鍋収納部３ａの底部または側底部に配置されているが、鍋収納部３ａの側中央部や側上部に配置してもよい。また、鍋加熱手段４は本実施例では誘導加熱コイルで説明したが、シーズヒータ、ニクロムヒータ、ハロゲンヒータまたはガス等で鍋３を加熱するようにしてもよい。
【００５８】
また、鍋温度検知手段１５は、鍋３の底面と当接するように説明したが、鍋３の温度を検知できるのであれば、鍋３の底面に限定するものではなく、任意の位置に配置してもよい。
【００５９】
また、蓋加熱手段１９も鍋加熱手段４と同様に、シーズヒータ、ニクロムヒータ、ハロゲンヒータ等で加熱板１８を加熱してもよい。また、加熱板１８に真空層を設けて鍋３内の熱が炊飯器の本体１外へ逃げていくのを低減するようにしてもよい。また、この場合は、加熱板１８の断熱性がよいので蓋加熱手段１９をなくしてもよい。
【００６０】
また、重量伝達板２５は本体１と一体にした構成としてもよく、重量伝達板２５とストッパー２６を本体１と一体に構成すれば、重量計測手段２を設けても本体１の重量が増加するのを低減することができるので、本体１の持ち運び等の使い勝手が低下するのを低減することができる。
【００６１】
また、重量計測手段２は、米と水の量を同時に計測できるように述べたが、米量のみ、または水量のみを計測できるようにしてもよい。すなわち、使用者が米のみを鍋３に投入した重量を計測したり、鍋３に米を投入した後、鍋３に投入する水の量を計測してもよい。このような場合は、米量や水量をそれぞれ計測することができる。
【００６２】
また、図３（ａ）および図３（ｃ）に示すように、ストッパー２６を本体１の側壁の一部に設けているので、ストッパー２６を本体１の最外周部に設けることができ、起歪体１０が少したわんだりねじれたりしても、直ちに床面Ａと接することができる。それゆえ、たわみ量やねじれ量が少ない起歪体１０を用いても、ストッパー２６は確実に床面Ａと接触することができるので、起歪体１０の特性に応じてストッパー２６と床面Ａとの隙間Ｈを容易に調整することができる。
【００６３】
それから、図６に示すように、支持板５の底面５ａに床面Ａと接触する脚部２７を設け、本体１の底面１ａを支持板５の底面５ａ（太線部分）よりも下方に設けることにより、支持板５の底面５ａを本体１の底面１ａで覆うことができる。
【００６４】
それゆえ、虫や異物等が重量計測手段２に侵入しにくくなるので、起歪体１０や歪みゲージ２４を保護することができる。
【００６５】
また、本体１を使用者が持ち運びする場合は、支持板５の底面５ａの下方に本体１の底面１ａがない場合は、図７（ａ）に示すように、支持板５の荷重Ｗｓ全てが起歪体１０に加わることになる。また、使用者が本体１を持ち運びするときに支持板５が振動したりすることがあるので、起歪体１０に振動荷重が加わることになって、起歪体１０が繰り返し荷重を受け、壊れてしまう恐れがある。これに対して、図７（ｂ）に示すように、支持板５の底面５ａの下方に本体１の底面１ａがある場合は、本体１の底面１ａが支持板５を支えることができるので、起歪体１０に支持板５の荷重Ｗｓや、荷重Ｗｓによる振動荷重が加わるのを低減することができる。
【００６６】
それゆえ、起歪体１０が壊れてしまうのを防止することができる。
【００６７】
さらに、炊飯器の本体１は、使用者がご飯をほぐしたり、お茶碗によそったりするときに、図８（ａ）に示すように、鉛直方向に対して回転方向の荷重Ｗｒを受けることがあるが、このとき、図６に示すように、支持板５の脚部２７の近傍には、本体１の底面１ａがあるので、本体１が鉛直方向に対して回転しようとすると、図８（ｂ）に示すように、本体１の底面１ａが脚部２７と接触するので、本体１の回転を規制することができる。それゆえ、起歪体１０が鉛直方向に対して回転方向の荷重Ｗｒを受けるのを規制することができ、回転方向の荷重Ｗｒが起歪体１０に加わって起歪体１０が壊れてしまうのを防止することができる。
【００６８】
以上より、重量計測手段２の耐久性および信頼性をより向上させることができ、繰り返し荷重に対する重量計測手段２の精度劣化を低減することができるとともに、常に鍋３に投入された米および水量に最適な炊飯ソフトでおいしいご飯を炊くことができる。
【００６９】
なお、少なくとも重量計測手段２が本体１の重量を計測するときは、支持板５の脚部２７が、本体１の底面１ａと接触しないように、脚部２７と底面１ａとの間に隙間が設けられていることは言うまでもなく、その隙間は可能な限り狭い方がよいということも言うまでもない。
【００７０】
また、脚部２７は、図９に示すように、支持板５の一部を折り曲げて形成してもよい。
【００７１】
また、支持板５の底面５ａは、図６において、太線部分の面Ｂ全てを意味する、すなわち、支持板５を上方から投影した部分全てを示すものである。
【００７２】
それから、重量計測手段２が重量を計測するときは、使用者が蓋８を開いているときだけなので、図１０に示すように、蓋８の開閉を検知する蓋開閉検知手段２８（例えばマイクロスイッチやリードスイッチ等）を備え、蓋開閉検知手段２８が蓋８が閉じていることを検知している間は、図１１（ａ）に示すように、ストッパー２６を床面Ａと接触させ、蓋開閉検知手段２８が蓋８が開いたことを検知したときには、図１１（ｂ）に示すように、ストッパー２６を上昇させるストッパー上下動手段２９を備えることにより、使用者が蓋８を閉じているときは、ストッパー２６が床面Ａと接触することで、起歪体１０がたわまなくなり、使用者が蓋８を開いているときは、ストッパー２６が床面Ａから離れることで、起歪体１０がたわむことができるので、鍋３内に投入された米または水の量を検出することができる。
【００７３】
それゆえ、重量計測手段２は、重量を計測すべきときのみ動作することができ、計測しないときにはストッパー２６により起歪体１０がたわまないようにすることができるので、重量計測手段２が重量を計測しないときには、ストッパー２６により重量計測手段２を保護することができる。
【００７４】
以上より、重量計測手段２の耐久性および信頼性をより一層向上させることができ、常に鍋３に投入された米および水量に最適な炊飯ソフトでおいしいご飯を炊くことができる。
【００７５】
なお、蓋開閉検知手段２８は、蓋８を開くフックレバー３０の動作を検知する構成としてもよく、このときはフックレバー３０を使用者が押して蓋８を開くのを検知することができる。
【００７６】
また、本実施例では、ストッパー上下動手段２９を設けて、ストッパー２６の動作を制御するようにしたが、図１２に示すように、ストッパー制御手段３１を設け、蓋８が開いているときはレバー３１ａを収納して重量計測手段２が本体１の重量を測定できるようにし、蓋８が閉じているときはレバー３１ａが突出してストッパー２６が動かないようにして重量計測手段２が本体１の重量を計測できないようにしてもよく、蓋８の開閉に連動してストッパー２６を制御できるものであれば、いかなる構成のものであってもよい。
【００７７】
【発明の効果】
以上のように、本発明によれば、重量計測手段の精度を向上させることができるとともに、衝撃荷重や繰り返し荷重に対する重量計測手段の耐久性および信頼性を向上させることができる。したがって、常に鍋内に投入された米および水量を正確に計量し、最適な炊飯ソフトでおいしいご飯を炊くことができる。
【図面の簡単な説明】
【図１】本発明の実施例１における炊飯器の断面図
【図２】同炊飯器の起歪体に加わる重量と起歪体のひずみとの関係を示す図
【図３】（ａ）同炊飯器の起歪体に曲げ荷重Ｗが加わったときの動作図
（ｂ）同炊飯器の起歪体に曲げ荷重Ｗが加わったときの起歪体周辺の図
（ｃ）同炊飯器の起歪体にねじり荷重Ｗｔが加わったときの動作図
（ｄ）同炊飯器の起歪体にねじり荷重Ｗｔが加わったときの起歪体周辺の図
【図４】（ａ）同炊飯器の炊飯工程での鍋温度検知手段の温度変化を示す図
（ｂ）同炊飯器の炊飯工程での鍋内の温度変化を示す図
【図５】（ａ）同炊飯器の蓋を開いたときに本体が受ける荷重を示す図
（ｂ）同炊飯器の蓋を閉じたときに本体が受ける荷重を示す図
（ｃ）同炊飯器の使用者がご飯をほぐしたり茶碗によそうときに本体が受ける荷重を示す図
【図６】同炊飯器の支持板の底面よりも本体の底面が下方にある場合の部分断面図
【図７】（ａ）同炊飯器の支持板の底面よりも本体の底面が下方にない場合に炊飯器を持ち運びした状態を示す図
（ｂ）同炊飯器の支持板の底面よりも本体の底面が下方にある場合に炊飯器を持ち運びした状態を示す図
【図８】（ａ）同炊飯器の垂直方向に対して回転する方向の荷重を受けた状態を示す図（ｂ）胴炊飯器の垂直方向に対して回転する方向の荷重を受けたときの支持板および本体底面近傍の状態を示す図
【図９】同炊飯器の支持板および脚部の別の例を示す図
【図１０】同炊飯器に蓋開閉検知手段を設けた断面図
【図１１】（ａ）同炊飯器のストッパーが重量計測手段の動作を規制した場合の断面図
（ｂ）同炊飯器のストッパーが重量計測手段の動作を解放した場合の断面図
【図１２】同炊飯器のストッパーが重量計測手段の動作を規制する別の例の断面図
【図１３】従来の炊飯器の断面図
【図１４】体重計に用いられている重量計測手段の構成を示す図
【図１５】（ａ）体重計に用いられている重量計測手段の起歪体周辺図
（ｂ）体重計に用いられている重量計測手段の別の角度から見た起歪体周辺図
【図１６】従来の炊飯器に、体重計に用いられている重量計測手段の起歪体部分を搭載した場合の断面図
【図１７】（ａ）同炊飯器の蓋を開いたときに本体が受ける荷重を示す図
（ｂ）同炊飯器の蓋を閉じたときに本体が受ける荷重を示す図
（ｃ）同炊飯器の使用者がご飯をほぐしたり茶碗によそうときに本体が受ける荷重を示す図
【図１８】（ａ）同炊飯器の起歪体に曲げ荷重Ｗが加わったときの起歪体の動作図
（ｂ）同炊飯器の起歪体にねじり荷重Ｗｔが加わったときの起歪体の動作図
【符号の説明】
１  本体
２  重量計測手段
３  鍋
５  支持板
８  蓋
１０  起歪体
２４  歪みゲージ
２５  重量伝達板
２６  ストッパー
２７  脚部
２８  蓋開閉検知手段
【図１】
2005000491.tif 000003
【図２】
2005000491.tif 000004
【図３】
2005000491.tif 000005
【図４】
2005000491.tif 000006
【図５】
2005000491.tif 000007
【図６】
2005000491.tif 000008
【図７】
2005000491.tif 000009
【図８】
2005000491.tif 000010
【図９】
2005000491.tif 000011
【図１０】
2005000491.tif 000012
【図１１】
2005000491.tif 000013
【図１２】
2005000491.tif 000014
【図１３】
2005000491.tif 000015
【図１４】
2005000491.tif 000016
【図１５】
2005000491.tif 000017
【図１６】
2005000491.tif 000018
【図１７】
2005000491.tif 000019
【図１８】
2005000491.tif 000020